(57)【要約】【課題】赤外および紫外の波長域を除く可視光域の光を顔や頭部等の皮膚に照射する美顔育毛器を提供する。【解決手段】赤色、青色、緑色の３種類の発光素子（ＬＥＤ）を用いることにより、供給する電流を制御することで、赤色、黄色、緑色、シアン、青色、マゼンダの単色光若しくはそれらに複合光、すなわち波長が４００〜７００ｎｍの可視光を照射することができるため、操作者が手動にてフィルタを切り替える等の作業を不要とする。また、経験的に知見した皮膚の症状（状態）に適した可視光の照射シーケンスをあらかじめ登録させることができる。さらに、構造的にコンパクトな形で、遠赤外線照射やマイナスイオン照射を併用することを可能とする。【選択図】図６
2007054595.tif 000002
【特許請求の範囲】
【請求項１】
赤色、青色、緑色の３種類の発光素子で構成される可視光光源部と、前記可視光光源部より照射させる可視光波長と照射時間と照射順序とを選択する操作入力部と、前記操作入力部から入力された内容に応じて前記可視光光源部の発光素子に電流を供給して発光素子の発光強度を制御する電流回路部と、前記可視光光源部より照射される可視光の照射範囲を調節するしぼり部とを具備することを特徴とする美顔育毛器。
【請求項２】
請求項１に記載の美顔育毛器において、さらに、遠赤外線照射部を設け、該遠赤外線照射部の照射軸と前記可視光光源部から照射される可視光の光軸を非共軸となるように遠赤外線照射部および可視光光源部を配設し、前記しぼり部のレンズによって、可視光照射範囲と遠赤外線照射範囲が重なることとしたことを特徴とする美顔育毛器。
【請求項３】
請求項１又は２に記載の美顔育毛器において、さらに、前記電流回路部を空気冷却するファンと、マイナスイオン発生部を設け、前記ファンによる空気流により前記マイナスイオン発生部から発生したマイナスイオンを可視光の照射範囲に向けて放出することを特徴とする美顔育毛器。
【請求項４】
請求項１に記載の美顔育毛器において、操作入力部は、表示パネル部とCPU部とメモリ部と操作ボタン部を有し、可視光および遠赤外線の照射シーケンスをメモリ部にあらかじめメモリ部に格納し、該操作ボタン部から複数の症状メニューから適切な症状メニューを選択した場合に、選択された症状メニューに対応する照射シーケンスをメモリ部から読込み、CPU部が照射シーケンスに従って、前記電流回路部に適切な信号を出力することを特徴とする美顔育毛器。
【請求項５】
請求項１に記載の美顔育毛器において、しぼり部を構成している複数のレンズのうち、照射孔側のレンズに、シアンと同系色のコーティングレンズを用いて、光源光の色の濃さの減衰率を全体として減らすことを特徴とする美顔育毛器。
【請求項６】
請求項１乃至４記載のいずれかの美顔育毛器が、自由自在に折れ曲がるフレキシブルなアームに固定され、該アームが自由に高さを調整できるスタンドに取り付けられているもの。
【発明の詳細な説明】
【技術分野】
【０００１】
本発明は、可視光波長領域で照射する波長光を制御することにより、新陳代謝を良くして、細胞を活性化することによって肌のシミや吹き出物等を除去又は予防、また頭部の育毛促進を行う光美顔育毛器の技術に関するものである。
【背景技術】
【０００２】
従来から、美容のため肌のシミ、シワ、ニキビ、吹き出物等を除去又は予防することが必要とされている。例えば、クリーム等の美容薬品を用いて顔に塗ってから拭き取ることにより皮膚の汚れ等を除去する方法、超音波利用等による種々の美顔器によって振動又は共振等を利用し顔面へマッサージを施すもの等、これらは全て顔面の血液の循環を促進させて地肌の活性化を促す顔面の美容方法として広く知られている。また、顔面美容に使用する顔面装着型の美顔器に関して、外部電源等によって発生させる温熱により顔面の美容を促進させるもの、又は、前記方法に振動及び共振等を利用してマッサージ効果も奏でるもの等、種々の美顔器がある。
【０００３】
そのなかで、赤外および紫外の波長域を除く可視光域の光を顔の皮膚に照射することで、肌のシワ等を除去・予防できることが知られている。これは、赤外および紫外の波長域は人体に悪影響を与えることがあるため、この波長域を除き、可視光域の特定の波長を選択して、患部に照射するものである。
【０００４】
また、一方で、遠赤外線効果により血液の循環を促進し皮膚の活性化に役立つことが知られている。遠赤外線放射の作用によって、皮膚深層の細胞分子を活性化させて顔面皮膚の新陳代謝を促し、顔面美容の問題点であるシミ、シワ、ニキビ、吹き出物等の治癒促進に効果があるのである（特許文献１参照）。
【０００５】
さらに、マイナスイオンを吸収することが体に良いことが知られており、マイナスイオン発生装置を美容器具に応用したものの例として、例えば、髪にうるおいを与えるイオン発生器を組み込んだヘアドライヤーが実用化されている。これは、パサついた髪は静電気によってプラスに帯電しており、このプラスの電荷を、マイナスに帯電した酸素と空気中の微細な水分が結合したマイナスイオンを発生する機能を備えたイオンブラシを用いることによって中和するというものであり、結果として、髪の吸水率を高めることができ、水分が深層部に浸透し、さらに水のベールが毛髪の表面をコートしてうるおいを継続させる効果があるとされている（特許文献２参照）。
【０００６】
【特許文献１】特開２０００−８３７３３号公報
【特許文献２】特開２００４−３７９４号公報
【発明の開示】
【発明が解決しようとする課題】
【０００７】
従来、赤外および紫外の波長域を除く可視光域の光を顔の皮膚に照射する光美顔器では、ハロゲンランプに特定波長光だけを透過させるファイタをつけることによって、可視光域の光を照射するものであった。具体的には、赤色の波長域だけを透過させる赤色フィルタ、黄色の波長域だけを透過させる黄色フィルタ、緑色の波長域だけを透過させる緑色フィルタを切り替えて、ハロゲンランプ光から可視光域の光を抽出するものである。従って、例えば、赤色光をある一定時間照射し、その後に緑色光をある一定時間照射し、最後に青色光をある一定時間照射する場合には、一々操作者が手動にてフィルタを切り替える等の作業が発生し煩雑であった。
【０００８】
また、上述したように、遠赤外線照射は、血液の循環を促進し、また、皮膚深層の細胞分子を活性化させて顔面皮膚の新陳代謝を促し、顔面美容の問題点であるシミ、シワ、ニキビ、吹き出物等の治癒促進に効果があることが知られているが、この遠赤外線照射を光美顔器に組み合わせることは、装置の構造面で困難であった。すなわち、顔などの皮膚に光と遠赤外線を同時に照射させるためには、照射孔の中心軸上近辺に遠赤外線照射部位と可視光域の光照射部位を配設するのであるが、照射軸を重ねることが原理上できないため、そのままでは効率よく照射させることができないといった問題があった。
【０００９】
また、本発明者は、上述したような光美顔器をシミ、シワ、ニキビ、吹き出物等の治癒促進の顔面美容に活用するのみならず、頭部の育毛促進にも活用することを目的として研究を行っているが、その中で、免疫機能の向上、老化抑制、発育・成長の促進が期待できるマイナスイオン発生装置を光美顔器に取り入れるべく検討を進めてきた。光美顔器の装置構造をうまく利用して、発生させたマイナスイオンを光と遠赤外線を同様に顔などの皮膚に照射できるようにすることが課題であった。
【００１０】
さらに、本発明者が、自己の経営する美容室において、可視光域の光を照射する時間、照射する波長、すなわち照射する順番（照射シーケンス）を、様々な利用者の顔の皮膚の症状（例えば、乾燥肌、アトピー肌、シワが多い肌など）で試したところ、経験的に照射シーケンスに規則性があることがわかってきた。これら経験的に知見した照射シーケンスを、毎回手動で照射時間、照射する発光色を入力するのではなく、照射シーケンスをあらかじめ登録しておき、例えば、照射シーケンス番号を入力操作することで光美顔器を稼動させるようにすることが課題である。
【課題を解決するための手段】
【００１１】
本発明者は、光美顔器について様々な試作を行って、また、実際に自己の経営する美容室において実際にその効果を確認し、本発明を完成するに至った。以下、上記課題を解決する手段について説明する。
【００１２】
本発明の第１の観点からは、「赤色、青色、緑色の３種類の発光素子で構成される可視光光源部と、前記可視光光源部より照射させる可視光波長と照射時間と照射順序を選択する操作入力部と、前記操作入力部から入力された内容に応じて前記可視光光源部の発光素子に電流を供給して発光素子の発光強度を制御する電流回路部と、前記可視光光源部より照射される可視光の照射範囲を調節するしぼり部とを具備」する美顔育毛器が提供される。
従来の光美顔器とは異なり、ハロゲンランプを用いるのではなく、赤色、青色、緑色の３種類の発光素子（例えば、ＬＥＤ）を用いることにより、供給する電流を制御することで、赤色、黄色、緑色、シアン、青色、マゼンダの単色光若しくはそれらに複合光、すなわち波長が４００〜７００(ｎｍ)の光を照射することができるため、操作者が手動にてフィルタを切り替える等の作業を不要とすることができる。
【００１３】
また、美顔器として使用するためには、ハロゲンランプと同等の光量・強度が必要となり、ＬＥＤを複数並べて可視光光源とする必要がある。このため、可視光光源部の前には、複数のレンズで構成されるしぼり部を設け、複数のＬＥＤから照射される光にムラができないようにし、かつ、顔全体に照射する場合や顔の一部の部位に照射する場合に対応できるようにしている。
【００１４】
次に、本発明の第２の観点からは、上記本発明の第１の観点において、「遠赤外線照射部を設け、該遠赤外線照射部の照射軸と前記可視光光源部から照射される可視光の光軸を非共軸となるように遠赤外線照射部および可視光光源部を配設し、前記しぼり部のレンズによって、可視光照射範囲と遠赤外線照射範囲が重なる」こととした美顔育毛器が提供される。
顔面皮膚の新陳代謝を促す効果がある遠赤外線照射機能を具備させるため、可視光域の光の光軸を、照射孔の中心軸からずらし、一方、遠赤外線照射の照射軸を照射孔の中心軸上に重ねて、可視光光源部の前に配設したしぼり部のレンズにより可視光域の光の光軸を曲げ、顔面に照射される可視光照射箇所と遠赤外線照射箇所が重なるようにしている。
【００１５】
次に、本発明の第３の観点からは、上記本発明の第１の観点又は第２の観点において、「電流回路部を空気冷却するファンと、マイナスイオン発生部を設け、前記ファンによる空気流により前記マイナスイオン発生部から発生したマイナスイオンを可視光の照射範囲に向けて放出する」こととした美顔育毛器が提供される。
美顔育毛器の装置構造を検討し、電流回路部を空気冷却するファンを、装置本体において照射孔を設けた箇所と反対の位置に配置し、マイナスイオン発生部を照射孔の付近に設け、ファンにより発生する空気流により、マイナスイオンが可視光照射や遠赤外線照射の範囲に向け放出されるようにしたものである。
【００１６】
また、本発明の第４の観点からは、上記本発明の第１の観点において、「操作入力部は、表示パネル部とCPU部とメモリ部と操作ボタン部を有し、可視光および遠赤外線の照射シーケンスをメモリ部にあらかじめメモリ部に格納し、該操作ボタン部から複数の症状メニューから適切な症状メニューを選択した場合に、選択された症状メニューに対応する照射シーケンスをメモリ部から読込み、CPU部が照射シーケンスに従って、前記電流回路部に適切な信号を出力する」ことを特徴とする美顔育毛器が提供される。
経験的に知見した照射シーケンスを、毎回手動で照射時間、照射する発光色を設定入力するのではなく、照射シーケンスをあらかじめメモリ部に記録しておき、操作入力部で照射シーケンス番号あるいわ皮膚の症状（状態）などを入力操作することで、対応する照射シーケンスがメモリ部からCPU部に読み出され、CPU部が照射シーケンスに従って電流回路部に信号を出力することで、可視光光源部から照射シーケンス通りの可視波長、照射時間、照射光量、照射順序で照射されるようにするものである。
【００１７】
また、本発明の第５の観点からは、上記本発明の第１の観点において、「しぼり部を構成している複数のレンズのうち、照射孔側のレンズに、シアンと同系色のコーティングレンズを用いて、光源光の色の濃さの減衰率を全体として減らす」ことを特徴とする美顔育毛器が提供される。
しぼり部の出口のレンズをシアンと同系色のコーティングレンズとすることで、全体として光の色の濃さの減衰を３％程度改善させることができる。
【発明の効果】
【００１８】
本発明に係る美顔育毛器は、赤外および紫外の波長域を除く任意の可視光域の波長（４００〜７００ｎｍ）の光を照射することができ、実際の美容室の現場における現在の知見および今後の知見により生まれる照射シーケンスと、化粧水や美容液と組み合わせることで、顔面美容や頭部の育毛に効果が期待できる。
【００１９】
また、本発明に係る美顔育毛器は、可視光光源部から照射される可視光の光軸をしぼり部のレンズで曲げることにより、照射される可視光照射箇所と遠赤外線照射箇所が重ねることが可能となり、本美顔育毛器に顔面皮膚の新陳代謝を促す効果がある遠赤外線照射機能を具備させることができる。
【００２０】
また、本発明に係る美顔育毛器は、マイナスイオン発生装置を具備することとする場合に、電流回路部の空冷ファンを活用することで、マイナスイオンを可視光照射箇所に向けて放出させることができる。発生させたマイナスイオンを可視光と遠赤外線を同様に顔や頭部などの皮膚に照射できるので、マイナスイオンとの相乗効果により、新陳代謝や細胞活性の効果がさらに期待できる。
【００２１】
さらに、本発明に係る美顔育毛器は、経験により知見された可視光や遠赤外線の照射シーケンスをあらかじめ登録することができ、利用者（個人利用者や美容室の従業員などのユーザ）により操作が容易・簡便なインターフェースを提供することができる。
【発明を実施するための最良の形態】
【００２２】
以下、本発明の具体的な実施形態について、図面を参照しながら説明していく。
【実施例１】
【００２３】
先ず図１に、本発明に係る美顔育毛器本体の実施例のイメージ図（照射孔が配設されている側から見たもの）を示す。図１に示すたまご型の形状の本体１の内部には、可視光光源部、しぼり部、電流回路部、ファン部、遠赤外線照射部、マイナスイオン発生部があり、照射孔２から可視光や遠赤外線が照射される。また、マイナスイオンは、照射孔２の周囲に設けられた小孔３（図では２４個）から放出される。
ここで、可視光光源部の発光素子であるＬＥＤは７個用いている。光量と光の色の濃さのバランスを鑑み、ＬＥＤ数を調整したものである。
また、本体表面には、照射シーケンスを設定入力する操作入力パネル４が設けられている。操作入力部については後述する。
【００２４】
次に図２は、本発明に係る美顔育毛器本体の実施例のイメージ図（照射孔が配設されている反対側、すなわち空冷ファン側から見たもの）を示す。本体の中心軸と可視光光源の光軸は約８度ずらしており、そのためしぼり部を調整する回転軸１３も可視光光源の光軸と同様、本体の中心軸から約８度ずれることになり、しぼり調節スイッチ１１が中心からずれている。
なお、照射孔２が配設されている反対側の中心部分には本体をスタンド９にとりつけるためのフレキシブルアーム８の一端を取り付けることとしている。また、アーム取付孔の周囲には、可視光光源部と電流回路部を冷却するためのファンの空気取入孔５が設けられている。
【００２５】
また、図３は、本発明に係る美顔育毛器の実施例の操作入力パネルのイメージ図を示している。操作入力パネル４を用いて、照射時間、照射する発光色を設定入力する。本実施例では、各色単独で時間設定ができ、設定が赤から始まり、赤色の単色光を照射する時間を０から９９分まで任意に設定し、次に赤点滅とその点滅時間、次に黄色の設定、そして緑色の設定と順番に行い、最後に紫色の設定を行って設定を終了する。表示部６にはトータルの時間が表示されるようにしている。
【００２６】
図４は、本発明に係る美顔育毛器の実施例の内部構造図（しぼり部部分のみ図示）を示す。しぼり部のレンズの働きで、可視光光源部（図示していない）から出た光が輪郭がぼけずに、また、光の色の濃さを減衰させることなく、輪郭がシャープすることができるのである。しぼり部１４は、５から６枚の望遠レンズで構成され、しぼり部のレンズを切替えることで、照射する可視光の照射スポットがレンズから２５，１５，５ｃｍの距離で調整できるようにしている。スタンドの配置の移動でも調整可能であるが、美顔育毛器本体１と照射対象の顔を位置関係を固定したままで、スポット照射を変更できるようにしたものである。なお、しぼり部のレンズを切替えるためのしぼり調節スイッチ１１は、照射孔２とは反対側に配設されており、回転軸１３は回転による軸の金属疲労を考慮して、回転軸１３の直径は８ｍｍ程度としている。
【００２７】
図５は、本発明に係る美顔育毛器の実施例の使用状態図を示している。たまご型の美顔育毛器本体１は、フレキシブルアーム８を介してスタンド９に取り付けられている。スタンド９は高さが調整可能で、また、スタンド移動後固定させることを考慮して、キャスター１０には１箇所ストッパーを設けている。また、美顔育毛器本体１は一旦取り付ければスタンド９から脱着することはないが、就寝時に本体部を取り外してベットサイドに置くこともできるようにしている。
【００２８】
図６は、本発明に係る美顔育毛器の機能ブロック図を示している。一点鎖線で囲まれた機能部位のうち、しぼり部、可視光光源部、電流回路部、操作入力部の部位は、本発明のコアの機能を実現する手段である。また、点線で囲まれたところは、美顔、育毛の作用効果を相乗的に高めることが可能な機能を示している。
【００２９】
次に、本発明の美顔育毛器の使用による効能データを示す。例として、右乳癌根治術施行後の女性（年齢：４７才）に対して、本発明の美顔育毛器を使用した内容を以下に説明する。
先ず、対象の女性の右乳癌根治術施行後の経過は以下（ｉ）〜（iii）の通りである。
（ｉ）Ｈ１７年６月６日：右乳癌根治術施行。脇窩リンパ節転移を認める。
（ii）Ｈ１７年６月１５日、７月９日、８月３日：化学療法を計３クール施行した。
化学療法における１クールは、ドセタキセル  120mg、ドキソルビシン  70mg、シクロホスファミド  800mgを静脈内に投与した。投与したこれらの薬剤は、いずれの薬剤も脱毛の副作用があり、特に、ドセタキセルは高い確率で脱毛の副作用の見られる抗癌剤で知られているものである。
（iii）Ｈ１７年８月２６日から、本発明に係る美顔育毛器を用いた治療を施行した。
使用頻度は以下の通りである。
・１回／３日    計５回
・１回／５日    計３回
・１回／１週    計３回（最終日  １０月１５日）
【００３０】
また、１回のプロトコル（可視光波長と照射時間と照射順序）を以下の１）〜８）である。合計で、２０分間、連続で光を患部である頭部に照射した。
１）赤色の光      ２分
２）黄色の光      ２分
３）緑色の光      ２分
４）青色の光      ６分
５）青色点滅      ４分
６）シアン色の光  ２分
７）紫色の光      １分
８）白色光        １分
【００３１】
Ｈ１７年８月２６日から、本発明に係る美顔育毛器を用いた治療を施行したが、その後の女性の頭部の経過状況は以下の通りである。
・化学療法後  23日（8月26日）：極めて高度の脱毛を認める（図７参照）。
・化学療法後  39日（9月11日）：さらに脱毛の進行を認める（図８参照）。
・化学療法後  51日（9月23日）：毛根のほとんどから発毛を認める（図９参照）。
・化学療法後  68日（10月15日）：ほぼ完全に原状に復帰している（図１０参照）。
【００３２】
本発明の美顔育毛器の使用による効能データを客観的に分析するため、専門家に、上記の右乳癌根治術施行後の女性（年齢：４７才）に対して、本発明の美顔育毛器を使用した内容を確認いただき、評価コメントを入手したので以下に示す。
放射線科専門医である小笠原正弘（医師）からは、
「抗癌剤によりこれだけの高度の脱毛が見られた場合、原状復帰には通常半年近く要することが多いが、約７週間後（脱毛のピークから12日後のH17年9月23日）に十分な発毛を認めることができる。」
とのコメントを頂いている。
【００３３】
上記の内容は、化学療法後２３日目（８月２６日）から、本発明に係る美顔育毛器による治療を施行しているが、美顔育毛器による治療の効能が現れ、通常よりも遥かに早期に原状復帰に至ったことが想定できるデータであるといえよう。
【００３４】
また、１０代後半から、６０歳前半の女性３０名に対して、本発明に係る美顔育毛器の使用を試みていただき、使用後のアンケートを実施した。しわ、シミ、たるみ、キメ、くすみ、小顔効果、持続性の各々の観点でコメントを入手した。ほぼ全員が使用による改善効果があったと指摘している。特に、たるみ、キメ、くすみ、小顔効果は使用後すぐに現れることがわかった。逆に、しわ、シミは、使用回数を重ねていくことでジワジワと効果が現れることがわかった。
図１１,１２は、２０代女性に対しての本発明に係る美顔育毛器の使用前と使用前の顔写真である。しわ、シミ、たるみ、キメ、くすみ、小顔効果が現れており、また、おでこ付近の吹き出物も小さくなっていることがわかる。
使用後は１週間ほど、化粧ののりがよいとの評判である。
【００３５】
また、図１３，１４は、５０歳代の男性に対して、発明に係る美顔育毛器の１回目の使用後と２回目の使用後の頭部写真である。１回目の使用と２回目の使用は、約７週間あいている。現在、医師にも参画いただき、医学面からこの発毛の効能を分析いただいているところである。
【産業上の利用可能性】
【００３６】
本発明に係る美顔育毛器は、赤外および紫外の波長域を除く任意の可視光域の波長光を照射することができ、実際の美容室の現場における現在の知見および今後の知見により生まれる照射シーケンスと、化粧水や美容液と組み合わせ、また、遠赤外線照射やマイナスイオン照射を組み合わせて、美顔理容、頭部の育毛促進などエステティック産業に利用できる。
【図面の簡単な説明】
【００３７】
【図１】本発明に係る美顔育毛器の実施例のイメージ図（照射孔が配設されている側から見たもの）
【図２】本発明に係る美顔育毛器の実施例のイメージ図（照射孔が配設されている反対側、すなわち空冷ファン側から見たもの）
【図３】本発明に係る美顔育毛器の実施例の操作入力パネルのイメージ図
【図４】本発明に係る美顔育毛器の実施例の内部構造図（しぼり部部分のみ図示）
【図５】本発明に係る美顔育毛器の実施例の使用状態図
【図６】本発明に係る美顔育毛器の機能ブロック図
【図７】化学療法後  23日（8月26日）の頭部の状況を移した写真図
【図８】化学療法後  39日（9月11日）の頭部の状況を移した写真図
【図９】化学療法後  51日（9月23日）の頭部の状況を移した写真図
【図１０】化学療法後  68日（10月15日）の頭部の状況を移した写真図
【図１１】使用前の顔部の状況を移した写真図
【図１２】使用後の顔部の状況を移した写真図
【図１３】１回目の使用後の頭部状況を移した写真図
【図１４】２回目の使用後の頭部状況を移した写真図
【符号の説明】
【００３８】
１  美顔育毛器本体
２  照射孔
３  小孔（マイナスイオン出口）
４  操作入力パネル
５  空気取込孔
６  表示部
７  操作ボタン部
８  フレキシブルアーム
９  スタンド
１０  キャスター
１１  しぼり調節スイッチ
１２  フレキシブルアーム取付孔
１３  回転軸
１４  しぼり部
【図６】
2007054595.tif 000003
【図１】
2007054595.tif 000004
【図２】
2007054595.tif 000005
【図３】
2007054595.tif 000006
【図４】
2007054595.tif 000007
【図５】
2007054595.tif 000008
【図７】
2007054595.tif 000009
【図８】
2007054595.tif 000010
【図９】
2007054595.tif 000011
【図１０】
2007054595.tif 000012
【図１１】
2007054595.tif 000013
【図１２】
2007054595.tif 000014
【図１３】
2007054595.tif 000015
【図１４】
2007054595.tif 000016